(57)【要約】【課題】  ロックを開き及び閉じるために必要とされるロック部分を変位する距離が比較的短いだけでなく、比較的長期間の使用後においてもより簡単に開くことができるチェーンロックを提供すること。【解決手段】  ロックを開き及び閉じるためにロックの縦方向に互いに対して僅かな量を変位できる二つのロック部分を有し、各ロック部分において、該ロック部分は、縦のウエッブを介して互いに結合する二つの端部を有し、その一方がスタッドを形成し、その周囲の部分を越えて延びる保持ウエッブを有しており、他方が、スタッドを受ける役割をする、保持ウエッブ用保持グルーブを有する凹部を備えてなるリンクチェーン用のチェーンロックであって、スタッド（６）と凹部（７）とがロックの縦方向に連続的に広がる又は拡張する断面を有することを特徴とするチェーンロック。【選択図】図２
2007524040.tif 000002
【特許請求の範囲】
【請求項１】
ロックを開き及び閉じるためにロックの縦方向に互いに対して僅かな量を変位できる二つのロック部分を有し、各ロック部分において、該ロック部分は、縦のウエッブを介して互いに結合する二つの端部を有し、その一方がスタッドを形成し、その周囲の部分を越えて延びる保持ウエッブを有しており、他方が、スタッドを受ける役割をする、保持ウエッブ用保持グルーブを有する凹部を備えてなるリンクチェーン用のチェーンロックであって、スタッド（６）と凹部（７）とがロックの縦方向に連続的に広がる又は拡張する断面を有することを特徴とするチェーンロック。
【請求項２】
保持ウエッブ（８、９）の側面は、楔形デザインで該保持ウエッブ（８、９）の側面に面する保持グルーブ（１０、１１）のそれらの側壁部分は、楔形角度（α）に対応した傾斜を有することを特徴とする請求項１に記載のチェーンロック。
【請求項３】
各ロック部分において、スタッド（６）の保持ウエッブ（８、９）の側面と凹部（７）の保持グルーブ（１０、１１）の側壁がそれらの間で１０〜３０°の角度（α）を形成していることを特徴とする請求項２に記載のチェーンロック。
【請求項４】
保持ウエッブ（８、９）の高さ（ｈｓ）がそれらの幅（ｂｓ）より小さいことを特徴とする請求項１〜３のいずれかの項に記載のチェーンロック。
【請求項５】
保持ウエッブ（８、９）の高さ（ｈｓ）が少なくとも３ｍｍであることを特徴とする請求項４に記載のチェーンロック。
【請求項６】
保持ウエッブ（８、９）の高さ（ｈｓ）が最大６ｍｍであることを特徴とする請求項４に記載のチェーンロック。
【請求項７】
スタッド（６）と凹部（７）の高さ（Ｈ）が、ロックの内側幅（ｂｉ）に実質的に等しく、及びスタッド（６）が複数の保持ウエッブ（８、９）を有し、かつ凹部（７）が、複数の保持グルーブ（１０、１１）を有することを特徴とする請求項１〜６のいずれかの項記載のチェーンロック。
【請求項８】
スタッド（６）が二つの保持ウエッブ（８、９）を有し、かつ凹部（７）が二つの保持グルーブ（１０、１１）を有することを特徴とする請求項７に記載のチェーンロック。
【請求項９】
スタッド（６）と凹部（７）が安全要素を受ける役割をする横穴（１４、１５）を備え、該安全要素はまた力の伝達のために使用されることを特徴とする請求項７又は８に記載のチェーンロック。
【発明の詳細な説明】
【技術分野】
【０００１】
本発明は、リンクチェーン用のチェーンロックに関する。チェーンロックは、ロック（錠）を開き及び閉じるためにロックの縦方向に互いに対して僅かな量を変位できる二つのロック部分を有し、各ロック部分においてロック部分は、縦のウエッブを介して互いに結合する二つの端部を有し、各ロック部分のその一方の端部はスタッドを形成し、該スタッドは、その周囲の部分を越えて延びる保持ウエッブを有する。各ロック部分の他方の端部は、スタッドを受ける役割をし、保持ウエッブ用の保持グルーブを有する凹部を備えている。
【背景技術】
【０００２】
上記タイプのチェーンロックは下記特許文献１に開示されている。それらの凹部の保持グルーブと同じ方法で、そのスタッドの保持ウエッブは、それらの長さの大部分を越えて平行な側壁を有している。同じことがまた下記特許文献２に開示されている別のチェーンロックにおいてスタッドの保持ウエッブ及び凹部の保持グルーブに適用されており、スタッドと凹部は、先端の内側方向に対して横方向に徐々に広がる又は拡張する端部部分を有している。上記両者における公知の構成の場合には、ロックの着脱の間、同じデザインのロック部分は、ロックの縦軸方向に互いに対して平行な側壁部分の長さに対応する量、それは、それらの大きさのためにロックの開閉を困難にさせているが、だけ変位することができる。
【特許文献１】ドイツ特許第２３５４０２８号明細書
【特許文献２】ドイツ実用新案登録第２９８２１３１２号明細書
【０００３】
下記特許文献３に開示されているチェーンロックの場合には、たての変位距離を短くすることが、保持ウエッブと保持グルーブとがそれらの平行な側壁部分の領域において中間スペースと切り抜きを備えることにより、達成されている。中間スペースと切り抜きによって、二つのロック部分がロックの縦軸に垂直な方向への移動により部分的に重なり合う中間位置で互いに結合することが可能になり、その結果、ロックの縦軸方向への比較的短い移動距離に沿ってロック部分が互いに結合することができる。最後に説明されている公知のチェーンロックは、保持ウエッブと平行な側壁部分を有する保持グルーブを有し、−経験が示すように−、以前に説明した構成のように、チェーンロックを比較的長い使用期間後に開ける場合に問題を起す。これは、実際遊びがない方法で互いにかみ合うスタッドと凹部との間の汚れと摩擦により起る腐食がスタッドと凹部間の一種の接着結合を生じるからであり、その強さは、主に対向する、平行な側壁部分の大きさにより決まる。
【特許文献３】ドイツ特許第１９９１４０１５号明細書
【発明の開示】
【発明が解決しようとする課題】
【０００４】
本発明の目的は、上記タイプのチェーンロックの場合を考慮して、ロックを開き及び閉じるために必要とされるロック部分の変位距離が比較的短いだけでなく、上記特許文献３におけるチェーンロックの場合のように、比較的長期間の使用後においても公知の関係するチェーンロックよりもより簡単に開くことができるチェーンロックを提供することである。
【課題を解決するための手段】
【０００５】
上記目的は、スタッドと凹部がロックの内側方向に対してロックの縦方向に連続的に広がる又は拡張する断面を有すると言う事実により驚くべき簡単な方法で本願発明は達成される。
【発明の効果】
【０００６】
実験によると、本発明の範囲内で設計されたチェーンロックにより、存在する安全要素を前もって取り外した後、一方のロック部分へのハンマーの短い一撃によって、長期間の使用後でさえ、いつものように開くことができることが分かった。特にスタッドが複数の保持ウエッブを有し、かつ凹部が複数の保持グルーブを有する場合に有利な結果が得られることがわかった。
【発明を実施するための最良の形態】
【０００７】
図１は、チェーンロックを示す。チェーンロックは、閉められた状態で同じデザインの二つのロック部分１及び２を有する。ロック部分１及び２の構成の詳細は、図２〜５に示されている。各ロック部分は、二つの端部４及び５を有し、これらは縦のリム３を介して互いに結合されている。一方の端部は、スタッド６を備え、他方は、凹部７を備え、各々他のロック部分のスタッド６を受ける役割をしている。スタッド６及び凹部７は、高さＨを有し、これは、実質的にチェーンロックの内側幅ｂｉに等しい。
【０００８】
二つの保持ウエッブ８及び９は、スタッド６上に設けられており、そして凹部７上に設けられた二つの保持グルーブ１０及び１１にあてがわれている。図５に最もよく示されているように、スタッド６及び凹部７は、断面を有し、該断面は、ロック内側方向に対してチェーンロックの縦方向に広がり又は拡張している。即ち、保持ウエッブ８及び９の側面及びそれにあてがわれる保持グルーブ１０及び１１のそれらの側壁部分ともに互いに平行に走っていない。図に示される態様の場合、保持ウエッブ８及び９の側面は、楔形デザイン、即ち、直線で囲まれたデザインで、スタッドにあてがわれる保持ウエッブ１０及び１１のそれらの側壁部分は、楔角度αと一致した傾斜表面を形成している。角度αは、１０〜３０°の大きさの範囲にあり、図示の態様では、その角度は約１５°である。
【０００９】
図６及び７を比較参照すると分かるように、角度αの大きさによって、チェーンロックの縦軸方向でロック部分１及び２の最小変位距離が決定される。図６は、ロック部分１及び２が矢印１２および１３の方向に互いに結合した後、保持ウエッブ８及び９の側面と保持グルーブ１０及び１１の側壁部分が互いに平行に移動したと仮定した時のロック部分１及び２が、ロックの縦軸方向に変位することができる距離Ａを示している。
【００１０】
図７は、保持ウエッブ８及び９の側面の楔形デザイン及び保持グルーブ１０及び１１の側壁部分の傾斜によって、縦方向への変位距離をある値ａに短くすることができることが示されており、短くすることで着脱が容易になる。特別な状況の場合、縦方向にロック部分が変位する距離が長いものを使用する場合には、ロックの着脱が容易になる。即ち、それは、長期使用で厳しいストレス後でもロックを簡単に開けることができるという点でのみ重要であり、その場合には、角度αは、また１０°より小さい値にすることができる。
【００１１】
ロック部分１及び２を互いに簡単にはずすことと関連して、強度に対して重要な保持ウエッブ８及び９の幅ｂｓに加えて、それらの高さｈｓもまた重要である。それは、可能な限り、３〜６ｍｍの値を下がらないし、越えもしない。
【００１２】
シリンダー状の安全要素を受ける横穴１４および１５は、また力の伝達の役割をする。
【図面の簡単な説明】
【００１３】
【図１】二つの同じロック部分を含むチェーンロックの側面図を部分的に断面で示す。
【図２】独特のロック部分の斜視図を示す。
【図３】図２のロック部分の側面図を示す。
【図４】図３における、IV−IV線に沿った断面図を示す。
【図５】図２及び３のロック部分の平面図を示す。
【図６】接続されるロック部分の第１側面図を示す。
【図７】接続されるロック部分の第２側面図を示す。
【符号の説明】
【００１４】
１、２  ロック部分
３  縦のリム
４、５  ロック部分の端部
６  スタッド
７  凹部
８、９  保持ウエッブ
１０、１１  保持グルーブ
１４、１５  横穴
【図１】
2007524040.tif 000003
【図２】
2007524040.tif 000004
【図３】
2007524040.tif 000005
【図４】
2007524040.tif 000006
【図５】
2007524040.tif 000007
【図６】
2007524040.tif 000008
【図７】
2007524040.tif 000009
【手続補正書】
【提出日】平成17年2月25日(2005.2.25)
【手続補正１】
【補正対象書類名】特許請求の範囲
【補正対象項目名】請求項１
【補正方法】変更
【補正の内容】
【請求項１】
ロックを開き及び閉じるためにロックの縦方向に互いに対して僅かな量を変位できる二つのロック部分（１、２）を有し、各ロック部分において、該ロック部分は、縦のウエッブ（３）を介して互いに結合する二つの端部を有し、その一方がスタッド（６）を形成し、その周囲の部分を越えて延びる保持ウエッブ（８）を有しており、他方が、スタッドを受ける役割をする、保持ウエッブ（８）用保持グルーブ（１０）を有する凹部（７）を備えてなるリンクチェーン用のチェーンロックであって、スタッド（６）と凹部（７）とがロックの縦方向に連続的に広がる又は拡張する断面を有することを特徴とするチェーンロック。
【手続補正２】
【補正対象書類名】明細書
【補正対象項目名】０００２
【補正方法】変更
【補正の内容】
【０００２】
上記タイプのチェーンロックは下記特許文献１及び下記特許文献２に開示されている。それらの凹部の保持グルーブと同じ方法で、そのスタッドの保持ウエッブは、それらの長さの大部分を越えて平行な側壁を有している。同じことがまた下記特許文献３及び下記特許文献２に開示されている二つの他のチェーンロックにおいてスタッドの保持ウエッブ及び凹部の保持グルーブに適用されており、スタッドと凹部は、先端の内側方向に対して横方向に徐々に広がる又は拡張する端部部分を有している。上記両者における公知の構成の場合には、ロックの着脱の間、同じデザインのロック部分は、ロックの縦軸方向に互いに対して平行な側壁部分の長さに対応する量、それは、それらの大きさのために、ロックの開閉を困難にさせているが、だけ変位することができる。
【特許文献１】ドイツ特許第２３５４０２８号明細書
【特許文献２】フランス特許公開第２３３３１７０号公報
【特許文献３】ドイツ実用新案登録第２９８２１３１２号明細書
【手続補正３】
【補正対象書類名】明細書
【補正対象項目名】０００３
【補正方法】変更
【補正の内容】
【０００３】
下記特許文献４に開示されているチェーンロックの場合には、たての変位距離を短くすることが、保持ウエッブと保持グルーブとがそれらの平行な側壁部分の領域において中間スペースと切り取りを備えることにより、達成されている。中間スペースと切り取りによって、二つのロック部分がロックの縦軸に垂直な方向への移動により部分的に重なり合う中間位置で互いに結合することが可能になり、その結果、ロックの縦軸方向への比較的短い移動距離に沿ってロック部分が互いに結合することができる。最後に説明されている公知のチェーンロックは、保持ウエッブと平行な側壁部分を有する保持グルーブを有し、−経験が示すように−、以前に説明した構成のように、チェーンロックを比較的長い使用期間後に開ける場合に問題を起す。これは、実際遊びがない方法で互いにかみ合うスタッドと凹部との間の汚れと摩擦により起る腐食がスタッドと凹部間の一種の接着結合を生じるからであり、その強さは、主に対向する、平行な側壁部分の大きさにより決まる。
縦の変位距離を短くすることが、また下記特許文献５に開示されているチェーンロックにより可能にされており、ここでは、スタッドが、極端に短い保持ウエッブをもつそれらの外側端部にのみ設けられている。このロックの不利なことは、短い保持ウエッブにより吸収される負荷が非常に高く、またロックの破損を早めるということである。最後に、下記特許文献６は、カーブしたウエッブの端部で凹部のグルーブにおいて係合する役割をする保持ウエッブを有するチェーンロックを開示している。一方のロック部分のカーブしたウエッブが他方のロック部分のカーブした縦のスロット内にぴったり嵌り込んでいる。言うまでもなく、このチェーンロックの場合では、説明された問題は、特に厳しい。
【特許文献４】ドイツ特許第１９９１４０１５号明細書
【特許文献５】ドイツ実用新案登録２９８１１３３７号明細書
【特許文献６】ドイツ実用新案登録８３２０３９２号明細書
【手続補正４】
【補正対象書類名】明細書
【補正対象項目名】０００４
【補正方法】変更
【補正の内容】
【０００４】
本発明の目的は、上記タイプのチェーンロックの場合を考慮して、強度のロスが無く、ロックを開き及び閉じるために必要とされるロック部分の変位距離が比較的短いだけでなく、下記特許文献７におけるチェーンロックの場合のように、比較的長期間の使用後においても簡単に開くことができるチェーンロックを提供することである。
【特許文献７】ドイツ実用新案登録２９８１１３３２号明細書
【国際調査報告】
2007524040.tif 000010
2007524040.tif 000011
2007524040.tif 000012
2007524040.tif 000013
2007524040.tif 000014
2007524040.tif 000015
2007524040.tif 000016